(57)【要約】【課題】  カメラを備えた電子機器において、カメラのレンズや撮像素子から放射されるノイズが、このカメラを備えた電子機器本体に与える干渉を軽減または防止することを目的とする。【解決手段】  カメラ１０の動作時に信号線１７や撮像素子１２から放射されるノイズをシールドすべく、レンズ１５を含めカメラ１０全体を、シールド１１を用いてシールドする。このように構成することで、カメラ１０のシールド性能の向上が可能である。ここで、カメラ１０全体ではなく、レンズ１５の一部のみをシールドした場合でも、カメラ１０の撮像方向に放射されるノイズの影響を減少させるという、本発明の目的を果たすことが可能である。また、シールド１１に、透明な導電性部材を用いることで、カメラ１０として必要な撮影機能とシールド機能との両立を図ることが可能である。【選択図】        図２
2006005385.tif 000002
【特許請求の範囲】
【請求項１】
アンテナを介して送受信される通信信号が入力される無線部が設けられた回路基板と、
光が入力されるレンズ、このレンズを介して入力された光を電気信号に変換する撮像素子、この撮像素子を駆動する所定周波数のクロック信号を生成する駆動部、前記撮像素子および前記駆動部が実装されるカメラ基板、少なくとも一部分が前記カメラ基板の前記撮像素子が実装された面に導出されて、前記駆動部と前記撮像素子を接続するとともに、前記撮像素子に前記クロック信号を供給する信号線を含むカメラと、
前記レンズ、前記撮像素子、前記カメラ基板の前記撮像素子が実装された面に露出している前記信号線を覆う透明の導電性部材で形成されたシールドとを設けたことを特徴とする電子機器。
【請求項２】
前記カメラは、さらに、
前記レンズと前記撮像素子を内部に収容する筒状体を含んでおり、
前記シールドは、
前記筒状体の全体を覆う金属部材、前記筒状体の前記レンズへの光が入力される開口部に対応する前記金属部材の所定位置に設けられた透明の導電性部材より形成されていることを特徴とする請求項１に記載の電子機器。
【請求項３】
画像を取得するカメラと、
カメラの撮像方向に放射されるノイズを減衰させるシールドとを備え、
前記カメラは、
光を電気信号に変換する撮像素子を備え、
前記シールドは、
前記撮像素子の少なくとも一部を覆っていることを特徴とする電子機器。
【請求項４】
画像を取得するカメラと、
カメラの撮像方向に放射されるノイズを減衰させるシールドとを備え、
前記カメラは、
光を取り込むレンズと、
レンズを支持する筒状体と、
光を電気信号に変換する撮像素子とを備え、
前記筒状体内部において、レンズと撮像素子との間に上記シールドを備えることを特徴とする電子機器。
【発明の詳細な説明】
【技術分野】
【０００１】
本発明は、カメラ（撮像装置）を備えた電子機器に関するものである。
【背景技術】
【０００２】
近年、ＣＣＤ（Ｃｈａｒｇｅｄ−Ｃｏｕｐｌｅｄ  Ｄｅｖｉｃｅ）あるいはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を有するカメラが設けられた携帯電話機が普及している。しかし、カメラから放射されるノイズが、携帯電話機の電子回路の性能や無線特性が劣化する要因となる、という問題がある。他のカメラを備えた電子機器についても、同様の問題がある。
【０００３】
特許文献１にあるように、カメラの電子回路基板などのノイズ発生源と、このカメラを備えた電子機器本体の電子回路基板との間に、電磁シールドを設置し、電子機器の電子回路へのノイズを遮断する方法が公知である。
【特許文献１】特開２００１−３２０６２２号公報
【発明の開示】
【発明が解決しようとする課題】
【０００４】
カメラから放射されるノイズには、カメラの電子回路基板から直接放射されるものと、撮像素子からレンズを通過して撮像方向に放射されるものがある。従来技術では、前者による干渉を軽減または防止することは可能だが、後者による影響を抑止することができない。
【０００５】
本発明は、カメラのレンズや撮像素子から放射されるノイズが、このカメラを備えた電子機器本体に与える干渉を軽減または防止することを目的とする。
【課題を解決するための手段】
【０００６】
本発明の電子機器は、アンテナを介して送受信される通信信号が入力される無線部が設けられた回路基板と、光が入力されるレンズ、このレンズを介して入力された光を電気信号に変換する撮像素子、この撮像素子を駆動する所定周波数のクロック信号を生成する駆動部、前記撮像素子および前記駆動部が実装されるカメラ基板、少なくとも一部分が前記カメラ基板の前記撮像素子が実装された面に導出されて、前記駆動部と前記撮像素子を接続するとともに、前記撮像素子に前記クロック信号を供給する信号線を含むカメラと、前記レンズ、前記撮像素子、前記カメラ基板の前記撮像素子が実装された面に露出している前記信号線を覆う透明の導電性部材で形成されたシールドとを設けたことを特徴とする。
【発明の効果】
【０００７】
本発明により、カメラを備えた電子機器において、カメラの動作中に撮像方向に放射されるノイズがその電子機器に与える影響を軽減または防止することができる。
【発明を実施するための最良の形態】
【０００８】
以下、本発明の実施の形態を図に基づいて説明する。なお、下記実施の形態１から実施の形態４までは、各実施の形態に係る電子機器としてカメラ付き携帯電話機を例として説明するが、デジタルカメラ、カメラ内蔵型ノートブックコンピュータなど、他の電子機器にも適用可能である。
【０００９】
実施の形態１．
図１は、実施の形態１に係るカメラ付き携帯電話機の構成図である。図１において、アンテナ１が受信した基地局からの信号は、アンテナ共用器２を経て、無線部の一部である受信部３に入力される。受信部３は、受信信号を、復調、復号化などの処理を施した後、ベースバンド信号処理部４に出力する。ベースバンド信号処理部４は、復調された信号から、音声あるいはメールなどのデータを抽出する。音声はレシーバ５から出力され、メールなどの文字情報は表示部６に表示される。一方、マイク７から入力された話者音声や、操作部８から入力されたメールなどの文字情報は、ベースバンド信号処理部４でデジタル信号への変換などの処理を施された後、無線部の一部である送信部９に出力される。送信部９に送られた信号は、変調処理を施され、所定の送信電力まで増幅された後、アンテナ１から基地局に送信される。
【００１０】
音声やメールなどの文字情報以外にも、カメラ１０で撮影された画像情報を送信することが可能であるが、カメラ１０が画像を取得する際、即ちカメラ１０の動作時には、その撮像方向にノイズが放射される。このノイズを遮断するため、カメラ１０はシールド１１によって覆われている。
【００１１】
図２は、実施の形態１に係るカメラの分解正面図である。また、図３は、実施の形態１に係るカメラの分解斜視図である。図２および図３において、カメラ基板２１の一面には、撮像素子として撮像素子１２がパッケージ１３上に設けられている。この撮像素子１２を覆うように筒状体１４が設けられ、レンズ１５が筒状体１４の内部に撮像素子１２と所定距離を隔てて配設される。さらに、撮像素子１２、筒状体１４、レンズ１５、信号線１７より構成される部分全体を覆うように、シールド１１が設けられる。
【００１２】
一方、カメラ基板２１の撮像素子１２が設けられた面の裏側には、撮像素子１２を駆動する駆動部１６が設けられている。この駆動部１６と撮像素子１２は、信号線１７により電気的に接続される。また、駆動部１６をシールドするシールドボックス１８が駆動部１６を覆うように設けられている。このシールドボックス１８は電位０になるようにカメラ基板２１に接地されている。カメラ基板２１の外部に導出されているフレキシブル基板１９は、図示しない携帯電話機の回路基板に接続されるコネクタ２０が一端部に設けられており、その他端部は駆動部１６と接続されている。コネクタ２０と駆動部１６と接続されたフレキシブル基板１９は、駆動部１６の入出力信号を携帯電話機の回路基板に伝達する機能を果たす。
【００１３】
カメラ１０を動作させた場合、具体的には、写真撮影の際にシャッターを切った瞬間のみならず、カメラ１０が起動されて、単にファインダにカメラ画像が表示されている状態において、駆動部１６から撮像素子１２にクロックが供給される。撮像素子１２へ供給されるクロックは、例えば、記録２００万画素級のカメラの場合、約１２ＭＨｚである。駆動部１６から撮像素子１２にクロックを供給することに伴い、撮像素子１２と駆動部１６を接続する信号線１７からノイズが放射される。例えば、携帯電話機の受信帯域が８００ＭＨｚ帯の場合、これは約１２ＭＨｚのクロックのおよそ７０次に相当するため、信号線１７から放射されたノイズがアンテナ１に回りこむことにより、携帯電話機の受信感度が劣化する要因となる。カメラの高画素化を進める場合、クロックの周波数をさらに上げる必要がある。例えば、記録４００万画素級のカメラのクロックは約２４ＭＨｚであり、上記８００ＭＨｚ帯の通信周波数はクロックのおよそ３５次に相当する。クロックの次数が下がることは、ノイズ量が増加することを示しており、すなわちカメラの高画素化に伴い、ノイズ量が増加するということが問題となる。
【００１４】
さらに、カメラの主なノイズ放射源として、撮像素子１２がある。撮像素子１２から放射されるノイズは、レンズを通過してカメラの撮像方向に放射され、携帯電話機の動作に影響を与える要因となる。
【００１５】
そこで、本実施の形態に係るカメラ付き携帯電話機は、信号線１７や撮像素子１２から漏れるノイズをシールドすべく、図２および図３に示すように、レンズ１５を含めた筒状体１４全体を、シールド１１を用いてシールドすることとした。このシールド１１はカメラ基板２１に接地されるものとする。カメラ１０動作時にカメラ１０から放射されるノイズをシールド１１によって遮断することにより、携帯電話の受信感度の劣化を防止することができる。このように構成することで、レンズ１５を含めカメラ１０全体をシールドしているため、カメラ１０のシールド性能の向上が可能である。ここで、カメラ１０全体ではなく、レンズ１５の一部のみをシールドした場合でも、カメラ１０の撮像方向に放射されるノイズの影響を減少させるという、本発明の目的を果たすことが可能である。また、シールド１１に、透明な導電性部材を用いることで、カメラ１０として必要な撮影機能とシールド機能との両立を図ることが可能である。
【００１６】
実施の形態２．
図４は、実施の形態２に係るカメラの斜視図である。実施の形態１では、図２および図３のように、シールド１１を用いてレンズを含めカメラ全体をシールドしていた。一方、図４に示すカメラでは、光が入射するレンズにシールド２２を用い、その他の部分は金属シールド２３でシールドすることとした。シールド２２は金属シールド２３に接地されるものとする。シールド２２に、例えばＩＴＯ（Ｉｎｄｉｕｍ  Ｔｉｎ  Ｏｘｉｄｅ）などの透明な導電性部材を用いる場合、その使用を最小限に限定し、その他の部位には安価な材質のシールドを使用することで、実施の形態１と比べ、コストを抑制することができる。上記説明のように構成することで、実施の形態１において説明したカメラ１０と同様、レンズを含めカメラ全体をシールドしているため、カメラのシールド性能の向上が可能である。ここで、カメラ全体ではなく、レンズの一部のみをシールドした場合でも、カメラの撮像方向に放射されるノイズの影響を減少させるという、本発明の目的を果たすことが可能である。また、シールド２２に、透明な導電性部材を用いることで、カメラとして必要な撮影機能とシールド機能との両立を図ることが可能である。
【００１７】
実施の形態３．
図５は、実施の形態３に係るカメラの分解斜視図である。実施の形態１および実施の形態２では、カメラ全体をシールドで覆っていた。一方、図５に示すカメラでは、撮像素子１２を覆うようにシールド２４を設けることにより撮像素子１２からノイズが放射されることを抑制している。シールド２４はカメラ基板２１に接地されるものとする。この構成では、ノイズの主な放射源である撮像素子１２をシールドしているため、カメラのシールド性能の向上が可能である。ここで、撮像素子１２の一部のみをシールドした場合でも、カメラの撮像方向に放射されるノイズの影響を減少させるという、本発明の目的を果たすことが可能である。また、シールド２４に、例えば透明な導電性部材を用いることで、カメラとして必要な撮影機能とシールド機能との両立を図ることが可能である。さらに、実施の形態１および実施の形態２と比較して、シールド設置によるカメラユニットのサイズの増大を最小限に抑えることが可能である。
【００１８】
実施の形態４．
図６は、実施の形態４に係るカメラの分解斜視図である。本実施の形態では、筒状体１４の内部において、レンズ１５と撮像素子１２との間にシールド２５を設けることにより、撮像素子１２から放射されるノイズがレンズ１５に到達するのを防止する。この構成では、ノイズの主な放射源である撮像素子１２をシールドしているため、カメラのシールド性能の向上が可能である。ここで、レンズ１５と撮像素子１２との間の一部のみをシールドした場合でも、カメラの撮像方向に放射されるノイズの影響を減少させるという、本発明の目的を果たすことが可能である。また、シールド２５に、例えば透明な導電性部材を用いることで、カメラとして必要な撮影機能とシールド機能との両立を図ることが可能である。さらに、実施の形態１および実施の形態２と比較して、シールド設置によるカメラユニットのサイズの増大を最小限に抑えることが可能である。
【００１９】
上記実施の形態１から４までは、実施の形態１と実施の形態２を同時に実施する以外は、それぞれを複数組み合わせて実施することが可能である。
【００２０】
以上のように、実施の形態１から４で説明した電子機器は、
画像を取得するカメラと、
カメラの撮像方向に放射されるノイズを減衰させるシールドとを備えることを特徴とする。
【００２１】
また、上記シールドは、
透明または半透明の導電体であることを特徴とする。
【００２２】
また、実施の形態１で説明した電子機器において、
上記カメラは、
光を取り込むレンズを備え、
上記シールドは、
上記レンズの少なくとも一部を覆っていることを特徴とする。
【００２３】
また、実施の形態２で説明した電子機器は、
上記カメラの上記シールドに覆われている部位以外の少なくとも一部が上記シールドと異なる材質でシールドされていることを特徴とする。
【００２４】
また、実施の形態３で説明した電子機器において、
上記カメラは、
光を電気信号に変換する撮像素子を備え、
上記シールドは、
上記撮像素子の少なくとも一部を覆っていることを特徴とする。
【００２５】
また、実施の形態４で説明した電子機器において、
上記カメラは、
光を取り込むレンズと、
レンズを支持する筒状体と、
光を電気信号に変換する撮像素子とを備え、
上記筒状体内部において、レンズと撮像素子との間に上記シールドを備えることを特徴とする。
【図面の簡単な説明】
【００２６】
【図１】実施の形態１に係るカメラ付き携帯電話機の構成図。
【図２】実施の形態１に係るカメラの分解正面図。
【図３】実施の形態１に係るカメラの分解斜視図。
【図４】実施の形態２に係るカメラの斜視図。
【図５】実施の形態３に係るカメラの分解斜視図。
【図６】実施の形態４に係るカメラの分解斜視図。
【符号の説明】
【００２７】
１  アンテナ、２  アンテナ共用器、３  受信部、４  ベースバンド信号処理部、５  レシーバ、６  表示部、７  マイク、８  操作部、９  送信部、１０  カメラ、１１，２２，２４，２５  シールド、１２  撮像素子、１３  パッケージ、１４  筒状体、１５  レンズ、１６  駆動部、１７  信号線、１８  シールドボックス、１９  フレキシブル基板、２０  コネクタ、２１  カメラ基板、２３  金属シールド、１００  カメラ付き携帯電話機（カメラを備えた電子機器）。
【図１】
2006005385.tif 000003
【図２】
2006005385.tif 000004
【図３】
2006005385.tif 000005
【図４】
2006005385.tif 000006
【図５】
2006005385.tif 000007
【図６】
2006005385.tif 000008